(57)【要約】【課題】静止画と動画撮影のとき、最適な記録部と撮像素子を使用できるようにする。【解決手段】装置本体部１０に静止画カメラ部２０を装着し、ＣＣＤ２１で撮像した映像信号を映像信号処理部２２で処理し、ＪＰＥＧ圧縮伸張回路２３でＪＰＥＧに圧縮変換し、ＳＤカード２４に記録する。また、装置本体部１０に動画カメラ部３０を装着し、ＣＣＤ３１で撮像した映像信号を映像信号処理部３２で処理し、装置本体部１０に送る。ＤＶＣ圧縮伸張回路１５を動作させ、ＤＶＣ方式で圧縮した映像信号をＤＶＣテープ１６に記録する。【選択図】　　　図１
2004040573.tif 000002
【特許請求の範囲】
【請求項１】
カメラ部が装置本体部から着脱可能なビデオカメラであって、
前記カメラ部は、動画を撮影する動画カメラ部、或いは静止画を撮影する静止画カメラ部からなり、
前記装置本体部は、少なくとも動画用圧縮伸張回路と動画用記録部を備え、
前記動画カメラ部は、動画用撮像素子と第１の映像信号処理部とを備え、
前記静止画カメラ部は、静止画用撮像素子と第２の映像信号処理部と静止画用圧縮伸張回路と静止画用記録部とを備えることを特徴としたカメラ部着脱型ビデオカメラ。
【請求項２】
前記静止画カメラ部は、前記静止画用記録部に保存された静止画データを、静止画用圧縮伸張回路により伸張して装置本体部に送出し、
前記装置本体部は、送られてきた前記静止画データを前記動画用圧縮伸張回路により圧縮して前記動画用記録部に記録することを特徴する請求項１記載のカメラ部着脱型ビデオカメラ。
【請求項３】
前記静止画カメラ部は、静止画用撮像素子の映像信号を圧縮せずに前記装置本体部に送出し、
前記装置本体部は、送られてきた前記静止画データを前記動画用圧縮伸張回路により圧縮して前記動画用記録部に記録することを特徴する請求項１記載のカメラ部着脱型ビデオカメラ。
【請求項４】
前記動画用記録部は、前記静止画用記録部の容量より大きいことを特徴とする請求項１、２、３又は４記載のカメラ部着脱型ビデオカメラ。
【発明の詳細な説明】
【０００１】
【発明の属する技術分野】
本発明は、動画カメラ部と静止画カメラ部が着脱可能となっているカメラ部着脱型ビデオカメラに関する。
【０００２】
【従来の技術】
近年、ビデオカメラにおいて、静止画像の撮影を行うスチルカメラ機能を有するものがある。これは同一のＣＣＤを用いて、動画及び静止画の撮影を可能とするものである。そして、撮像した映像データを動画用記録部であるＤＶＣ（Ｄｉｇｉｔａｌ　Ｖｉｄｅｏ　Ｃａｓｓｅｔｔｅ）テープや静止画用のＳＤカードやマルチメディアカード等の記録部に記録していた。
【０００３】
【発明が解決しようとする課題】
このビデオカメラの場合、動画の場合はリアルタイムで大量の撮像データをＣＣＤから転送する必要があり、ＣＣＤの画素数が転送速度に規定されてしまう。それに対して、静止画像の場合は、シャッターを閉じてから、撮像データを転送するので、ＣＣＤの画素数は転送速度に規定されない。したがって、一つのＣＣＤで動画と静止画の両方を撮影可能なビデオカメラの場合は、動画像を撮像するＣＣＤの転送速度に画素数が規定され、静止画専用のスチルカメラに比べれば、ＣＣＤの画素数が少なくなってしまうという問題があった。
また、このようなビデオカメラにおいては、記録部として動画の場合はビデオテープ、静止画の場合はＳＤカードの両方の機構を備えていなければならない。また、それぞれの記録部は、動画用と静止画用に特化しており、例えば、静止画を印刷する場合は、ＳＤカード等に記録しておいたほうが、使い勝手がいい。従って、常に両方の記録部を備える必要があった。
【０００４】
本発明の目的は、静止画と動画撮影のとき、最適な記録部と撮像素子を使用できるカメラ部着脱型ビデオカメラを提供することである。
【０００５】
【課題を解決するための手段】
本発明は、カメラ部が装置本体部から着脱可能なビデオカメラであって、前記カメラ部は、動画を撮影する動画カメラ部、或いは、静止画を撮影する静止画カメラ部からなり、前記装置本体部は、少なくとも動画用圧縮伸張回路と動画用記録部を備え、前記動画カメラ部は、動画用撮像素子と第１の映像信号処理部とを備え、
前記静止画カメラ部は、静止画用撮像素子と第２の映像信号処理部と静止画用圧縮伸張回路と静止画用記録部とを備えることを特徴とする。
【０００６】
また、本発明は、前記静止画カメラ部が、前記静止画用記録部に保存された静止画データを、静止画用圧縮伸張回路により伸張して装置本体部に送出し、前記装置本体部は、送られてきた前記静止画データを前記動画用圧縮伸張回路により圧縮して前記動画用記録部に記録することを特徴する。
【０００７】
本発明は、明前記静止画カメラ部が、静止画用撮像素子の映像信号を圧縮せずに前記装置本体部に送出し、
前記装置本体部は、送られてきた前記静止画データを前記動画用圧縮伸張回路により圧縮して前記動画用記録部に記録することを特徴する。
【０００８】
本発明は、前記動画用記録部が、前記静止画用記録部の容量より大きいことを特徴とする。
【０００９】
【発明の実施の形態】
以下、本発明の実施の形態について図面を用いて説明する。
【００１０】
図１は本発明に係るカメラ部着脱型ビデオカメラの一実施形態を示す斜視図であり、図２はこのカメラ着脱型ビデオカメラを示す要部ブロック図である。
【００１１】
このカメラ部着脱型ビデオカメラは、装置本体部１０と、静止画カメラ部２０と、動画カメラ部３０とからなる構成であり、装置本体部１０に動画カメラ部３０あるいは静止画カメラ部２０を、着脱機構４０を介して着脱できるようになっている。着脱機構は、装置本体部１０、静止画カメラ部２０、動画カメラ部３０のそれぞれに備えられている。
【００１２】
装置本体部１０は、ＣＰＵ１１、ＯＳＤ部１２、ＬＣＤドライバ１３、ＬＣＤ表示部１４と、ＤＶＣ圧縮伸張回路１５、動画用記録部であるＤＶＣテープ１６を備えている。
静止画カメラ部２０は、静止画用撮像素子であるＣＣＤ２１と、ＣＣＤ２１から出力された映像信号を処理する映像信号処理部２２と、ＪＰＥＧ圧縮伸張回路２３と、静止画用記録部であるＳＤカード２４とを備える。静止画カメラ部２０は、レンズ等の光学系から入射した光をＣＣＤ２１に撮像させ、その後、メカニカルなシャッターにより光を遮断する。そして、低スピードで多くの画素をＣＣＤ２１から読み込むことができる。
動画カメラ部３０は、動画用撮像素子であるＣＣＤ３１と、ＣＣＤ３１から出力された映像信号を処理する映像処理部３２とを備える。動画カメラ部３０は、レンズ等の光学系から入射した光をＣＣＤ２１に撮像させ、それをインターレスで読み込むことができる。
【００１３】
装置本体部１０に静止画カメラ部２０を装着した場合について説明する。
まず、装置本体部１０の表示部１４に表示する場合について説明する。
【００１４】
装置本体部１０のＣＰＵ１１は、着脱機構４０により装着されたカメラ部が、静止画カメラ部２０であることを認識する。ＣＣＤ２１を出力した撮像データは、映像信号処理部２２で処理され、電池残量やシャッタースピード等のキャラクタ（アイコン）を表示させるため、静止画カメラ部２０のＧＵＩ（Ｇｒａｐｈｉｃａｌ　Ｕｓｅｒ　Ｉｎｔｅｒｆａｃｅ）／ＣＰＵ２５を出力したキャラクタ信号は映像信号処理部２２の信号と合成されて装置本体部１０に送出される。このとき、ＣＰＵ２５はＪＰＥＧ圧縮伸張回路２３を動作させない。
【００１５】
装置本体部１０は、静止画カメラ部２０が装着されていることを認識しているので、ＯＳＤ部１２の機能を停止させ、静止画カメラ部２０からの映像信号をそのままＬＣＤドライバ１３に入力し、ＬＣＤ表示部１４に表示させる。
【００１６】
次に、ＣＣＤ２１で撮像した映像信号をＳＤカード２４に記録再生する場合について説明する。
映像信号処理部２２を出力した信号を記録するときは、ＪＰＥＧ圧縮伸張回路２３でＪＰＥＧに圧縮変換し、ＳＤカード２４に記録される。このＳＤカード２４は、例えばプリンタを利用して格納した映像を印刷することもできる。
【００１７】
また、ＳＤカード２４に記録された映像を再生表示するときは、まずＳＤカード２４から映像信号を読み出し、ＪＰＥＧ圧縮伸張回路２３により伸張して、この映像信号を装置本体部１０に送る。ＤＶＣ圧縮伸張回路１５を動作させずに、静止画カメラ部２０から送られた映像信号をそのままＬＣＤドライバ１３に入力し、ＬＣＤ表示部１４に表示させる。
【００１８】
次に、装置本体部１０に動画カメラ部３０を装着した場合について説明する。
まず、装置本体部１０の表示部１４に表示する場合について説明する。
【００１９】
装置本体部１０のＣＰＵ１１は、着脱機構４０により装着されたカメラ部が、動画カメラ部３０であることを認識し、装置本体部１０のＯＳＤ部１２を駆動させる。
ＡＵＴＯモードや日付等のキャラクタを表示させるため、動画カメラ部３０の映像信号処理部３２の信号と装置本体部１０のＯＳＤ部１２により生成されたＯＳＤ信号とをＬＣＤドライバ１３に入力し、映像信号にＯＣＤ信号を重ね合わせ、ＬＣＤ表示部１４に表示させる。このとき、ＤＶＣ圧縮伸張回路１５は動作させない。
【００２０】
次に、ＣＣＤ３１で撮像した映像信号をＤＶＣテープ１４に記録する場合について説明する。
映像信号処理部３２を出力した信号は、装置本体部１０に送られる。ＤＶＣ圧縮伸張回路１５を動作させ、ＤＶＣ方式で圧縮した映像信号をＤＶＣテープ１６に記録する。
【００２１】
また、ＤＶＣテープに記録された映像信号を再生表示する場合は、ＤＶＣテープから映像信号を読み出し、ＤＶＣ圧縮伸張回路１５で伸張してからＬＣＤドライバ１３に入力し、ＬＣＤ表示部１４に表示させる。
【００２２】
次に、静止画カメラ部２０を用いて静止画像を録画中にＳＤカード２４の容量が足りなくなったものとする。
この場合、ＣＰＵ１１がそれを認識して、ＳＤカード２４からＬＣＤドライバ１３を介してＬＣＤ表示部１４に警告を表示する。そして、ユーザーがＳＤカード２４からＤＶＣテープ１６へのデータの複写を選択したとする。その場合は、ＳＤカード２４から読み出された映像信号はＪＰＥＧ圧縮伸張回路２３で伸張され、ＤＶＣ圧縮伸張回路１５に入力される。そこで、ＤＶＣ方式で映像信号を圧縮しＤＶＣテープ１６に記録する。そして、ＳＤカード２４内の格納データを削除して、再び使用可能にする。
【００２３】
また、ＳＤカード２４の容量が足りなくなった場合、ユーザーは直接ＤＶＣテープに記録することもできる。この場合は、ＪＰＥＧ圧縮伸張回路２３を動作させず、映像信号を装置本体部１０に入力させ、ＤＶＣ圧縮伸張回路１５を利用して静止画を圧縮し、ＤＶＣテープ１６に記録する。
【００２４】
【発明の効果】
本発明によれば、静止画カメラ部に、撮像した静止画データの圧縮伸張回路を有し、さらには、前記画像データを保存する静止画用記録部を備え、装置本体部には動画用記録部を備えて、静止画カメラ部か動画カメラ部のいずれかを装置本体部に装着した場合、最適な記録部に記録できる。
また、メモリカードの容量が残り少なくなっても、静止画用記録部の記録データを装置本体部に再び静止画用記録部を使用できる。また、動画用記録部を静止画の記録に使用することができる。
【図面の簡単な説明】
【図１】本発明に係るカメラ部着脱型ビデオカメラの一実施形態を示す斜視図である。
【図２】このカメラ着脱型ビデオカメラを示す要部ブロック図である。
【符号の説明】
１０　装置本体部
１１　ＣＰＵ
１２　ＯＳＤ部
１３　ＬＣＤドライバ
１４　ＬＣＤ表示部
１５　ＤＶＣ圧縮伸張回路
１６　ＤＶＣテープ
２０　静止画カメラ部
２１，３１　ＣＣＤ
２２，３２　映像信号処理部
２３　ＪＰＥＧ圧縮伸張回路
３０　動画カメラ部
【図１】
2004040573.tif 000003
【図２】
2004040573.tif 000004